(57)【要約】【課題】コンパクトに収納でき、かつ、折板構造屋根の無段階の山ピッチに対応できる、折板構造屋根の仮設資材取付具を提供する。【解決手段】折板構造屋根の仮設資材取付具１０は、中央上面方向に保持する保持部１５を有し、所定の厚さおよび長さを有して真っ直ぐ水平に長手方向に伸びる第１の部材１１と、第１の部材１１の上部に設けられ、第１の部材１１と同じ所定の長さを有し真っ直ぐ水平に長手方向に伸びる第２の部材１２とを含み、第１の部材１１と第２の部材１２とは、保持部１５を中心として、相互に回転可能であり、第２の部材１２の長手方向の両端下部には、第１の部材の厚さを有する端部部材２４ｂ，２４ｄを有し、第１の部材１１と第２の部材１２とは、仮設資材保持部１５を中心として、相互に回転可能である。【選択図】図１
2020002745.tif 000002
【特許請求の範囲】
【請求項１】
中央上方面に仮設資材を保持する仮設資材保持部を有し、所定の厚さおよび長さを有して真っ直ぐ水平に長手方向に伸びる第１の部材と、
前記第１の部材の上部に設けられ、前記第１の部材と同じ所定の長さを有し真っ直ぐ水平に長手方向に伸びる第２の部材とを含み、
前記第１の部材と前記第２の部材とは、前記仮設資材保持部を中心として、相互に回転可能であり、
前記第２の部材の長手方向の両端下部には、前記第１の部材の厚さを有する端部部材を有する、折板構造屋根の仮設資材取付具。
【請求項２】
前記保持部は水平の板であり、前記第１の部材と第２の部材とを位置決めする、位置決め部を有する請求項１に記載の折板構造屋根の仮設資材取付具。
【請求項３】
前記位置決め部は、円周方向に伸びる溝である請求項２に記載の折板構造屋根の仮設資材取付具。
【発明の詳細な説明】
【技術分野】
【０００１】
この発明は折板構造屋根の仮設資材取付具に関し、構造の簡単な折板構造屋根の親綱式スライド器具やリトラクタ式墜落阻止器具などの係留具、特に、親綱張設用支柱取付具や手摺支柱取付具のような、折板構造屋根の仮設資材取付具に関する。
【背景技術】
【０００２】
従来の折板構造屋根の仮設資材取付具としての親綱張設具が、例えば、特許第５１２３６９８号公報（特許文献１）に開示されている。図９は特許文献１に開示された親綱張設具１００の全体構成を示す斜視図である。図９において、１０１は、基台であり、両端部間が補強材１０２により連結された２本の側部梁材１０３と、側部梁材１０３の中央部間を連結する中央部梁材１０４と、側部梁材１０３の底部に取り付けられた固定金具１０５とからなっている。側部梁材１０３および中央部梁材１０４は、何れも、断面コ字形の溝形鋼からなり、ウエッブを下にし、フランジを上側に向けてＨ状に組まれている。なお、中央部梁材１０４をウエッブを下にし、フランジが上側を向くように配したのは、後述するように、作業者の落下荷重により中央部梁材４を容易に捻り変形させることによって、作業者が受ける衝撃力を吸収する。
【先行技術文献】
【特許文献】
【０００３】
【特許文献１】特許第５１２３６９８号公報（請求項１等）
【発明の概要】
【発明が解決しようとする課題】
【０００４】
従来の折板構造屋根の仮設資材取付具は上記のように構成されていた。従来の取付具は一対の梁材１０３、１０３の間隔が固定され、嵩高であった。また、その間隔が一定であり、折板構造屋根の様々な種類の山ピッチに対応でき無いという問題があった。すなわち、従来の仮設資材取付具は、屋根の山ピッチによって固定金具を外して取付位置を変える必要があった。
【０００５】
この発明は上記のような問題点に鑑みてなされたもので、コンパクトに収納でき、かつ、折板構造屋根の様々な山ピッチに対応できる、構造の簡単な折板構造屋根の親綱スライド器具やリトラクタ式墜落支持器具などの係留具、特に、親綱張設備用支柱取付具や手摺支柱取付具として利用できる、折板構造屋根の仮設資材取付具を提供することを目的とする。
【課題を解決するための手段】
【０００６】
この発明に係る、仮設資材取付具は、中央上面方向に仮設資材を保持する保持部を有し、所定の厚さおよび長さを有して真っ直ぐ水平に長手方向に伸びる第１の部材と、第１の部材の上部に設けられ、第１の部材と同じ所定の長さを有し真っ直ぐ水平に長手方向に伸びる第２の部材とを含み、第１の部材と第２の部材とは、仮設資材保持部を中心として、相互に回転可能であり、第２の部材の長手方向の両端下部には、第１の部材の厚さを有する端部部材を有する。
【０００７】
好ましくは、仮設資材保持部は水平の円板であり、第１の部材と第２の部材とを位置決めする、位置決め部を有する。
【０００８】
さらに好ましくは、位置決め部は、円周方向に伸びる溝である。
【発明の効果】
【０００９】
この発明に係る折板構造屋根の仮設資材取付具は、中央に垂直上方向に伸びる支柱を保持する仮設資材保持部を有する第１の部材と、その下部に設けられる第２の部材とが仮設資材保持部を中心として相互に回転可能であるため、第１の部材と第２の部材との間隔を調整することができる。
【００１０】
その結果、第１の部材と第２の部材とを折り畳むことによりコンパクトにでき、かつ、相互の間隔を調整できるため、折板構造屋根の様々な山ピッチに対応できる折板構造屋根の仮設資材取付具を提供できる。
【図面の簡単な説明】
【００１１】
【図１】この発明の一実施の形態に係る折板構造屋根の仮設資材取付具を示す斜視図である。
【図２】仮設資材取付具の平面図および立面図である。
【図３】折板構造屋根の異なる山ピッチに、仮設資材取付具を取り付けた状態を示す図である。
【図４】折板構造屋根の異なる山ピッチに、仮設資材取付具を取り付けた状態を示す図である。
【図５】折板構造屋根の異なる山ピッチに、仮設資材取付具を取り付けた状態を示す図である。
【図６】仮設資材取付具に親綱支柱を取り付けた状態を示す図である。
【図７】親綱支柱取付具の使用例を示す図である。
【図８】親綱支柱取付具の使用例を示す図である。
【図９】従来の折板構造屋根の仮設資材取付具を示す斜視図である。
【発明を実施するための形態】
【００１２】
以下、この発明の一実施の形態を、図面を参照して説明する。図１（Ａ）はこの発明の一実施の形態に係る折板構造屋根の仮設資材取付具（以下、「仮設資材取付具」と省略する）１０全体を示す斜視図である。図１（Ａ）を参照して、仮設資材取付具１０は、所定の厚さを有し、長手方向に第１の寸法だけ真っ直ぐ水平に伸びる第１ベース（第１の部材）１１と、第１ベース１１に対してその上に回転可能に設けられ、長手方向に同じく第１寸法だけ伸び、所定の厚さを有する第２ベース（第２の部材）１２と、第２ベース１２の中央部の上に設けられた水平の円板ベース１４と、円板ベース１４の上に設けられた仮設資材保持部１５とを含む。
【００１３】
第１ベース１１および第２ベース１２はそれぞれの中央部に設けられた図示の無い回転軸を中心として相互に回転可能である。したがって、仮設資材保持部１５も第１ベース１１および第２ベース１２のそれぞれの中央部に位置する。それによって、仮設資材保持部１５は、円板ベース１４を介して第１および第２ベース１１,１２に回転可能に支持される。
【００１４】
仮設資材保持部１５は内部に断面が円形の凹部１５ａを有する円筒状であり、その外部には円板ベース１４に対して直交する方向に複数のリブ１６ａ〜１６ｄが相互に９０度の間隔を開けて設けられている。
【００１５】
また、第２ベース１２の両端部には、その下面を第１ベース１１と同一平面に合わせるために第１ベース１１と同一厚さで長さの短い補助金具（端部部材）２４ｂ，２４ｄが設けられており、第１ベース１１の両端部および第２ベース１２の両端部の補助金具２４ｂ，２４ｄの下には、仮設資材取付具１０を折板構造の屋根に取り付けるための固定金具２３ａ〜２３ｄが設けられる。
【００１６】
以上のように、第１ベースと第２ベースとが同じ長さを有する、真っ直ぐ水平に伸びる部材から構成されているため、製造が簡単で、コストダウンが可能である。
【００１７】
次に、仮設資材取付具１０を折板屋根に取り付ける方法について説明する。図１（Ｂ）は、固定金具２３ａ〜２３ｄの詳細を示す図であり、図１（Ｃ）は、固定金具２３ａ〜２３ｄを、例えば、図３に示す、折板屋根３０の凸部３１に取付けた状態を示す図である。図１（Ａ）〜（Ｃ）を参照して、固定金具２３は、長手方向から見たとき、全体が「ハ」字状を構成する２つの部材２３４ａ，２３４ｂと、固定金具２３の上部を一体化するためのボルト２３３とナット２３１とボルト２３３を緩めることによって開閉する下部の口２３２を含む。
【００１８】
仮設資材取付具１０を折板構造の屋根に取り付けるときは、図１（Ｃ）に示すように、折板屋根３０の頂部の凸部３１ａを固定金具２３の上部のボルト２３３を締めこむことによって「ハ」の字の下部の口２３２が締まり、ハゼ加締め部３１ａと固定金具２３が一体化する。具体的には後述する。
【００１９】
次に、図２を参照して、具体的に説明する。
【００２０】
図２（Ａ）は仮設資材取付具１０の第１および第２ベース１１,１２を相互に最大限開いた場合の平面図であり、図２（Ｂ）は、図２（Ａ）において、矢印ＩＩＢ−ＩＩＢで示す側面図であり、図２（Ｃ）は仮設資材取付具１０のベースを閉じた場合の平面図である。
【００２１】
図２（Ａ）〜（Ｃ）を参照して、円板ベース１４は、その外周に沿って、相互に間隔を開けて配置された円弧状の溝２１ａ〜２１ｄを有し、その下部に設けられた第１および第２ベース１１,１２はそれぞれの幅方向の上端部にねじ穴を有し、円弧状の溝２１ａ〜２１ｄの範囲内でこれらのねじ穴に係合するボルト２０ａ〜２０ｄを設けることによって相互間の位置決めを行う。したがって、円弧状の溝２１ａ〜２１ｄと、その範囲内でねじ穴に係合するボルト２０ａ〜２０ｄとで第１ベースと第２ベースとを位置決めする位置決め部を構成する。
【００２２】
この構成により、図２（Ａ）に示す第１と第２ベース１１,１２が最大限に開いた状態から図２（Ｃ）に示すベースを閉じた状態に第１と第２ベース１１、１２が相互に回転移動して、隣接した第１と第２ベース１１、１２の相互に離れた所望の位置にボルト２０ａ〜２０ｄを固定することにより、これらが相互に所望の位置に位置決めされる。
【００２３】
なお、第２ベース１２が第１ベース１１に重ねられているため、円板ベース１４の溝２１に係合する第１ベース１１のねじ２０は、第２ベース１２の溝２１に係合するねじ２０より長く、このねじの外径を覆うスペーサが円板ベース１４と第１ベース１１との間に設けられる。
【００２４】
なお、仮設資材取付具１０を構成する第１および第２ベース１１,１２等は、ここでは全て断面が「ロ」形の軽量形鋼で構成されているが、断面をＣ形とし、第１ベース１１は開口部を上に設け、第２ベース１２は開口部を下にして、必要部において、断面を「ロ」形に構成してもよい。断面をＣ形とすることにより、軽量化を図ることができる。
【００２５】
次に、図２に示した仮設資材取付具１０の使用方法について説明する。図３は、仮設資材取付具１０をそれぞれのベース１１,１２を最も開いた状態で折板屋根３０の凸部３１に取付けた状態を示す図である。図３（Ａ）は平面図であり、図３（Ｂ）は図３（Ａ）において、矢印ＩＩＩＢ-ＩＩＩＢで示す矢視の断面図である。
【００２６】
図３（Ａ）および（Ｂ）を参照して、ここでは、例えば、２つの折板屋根３０の凸部３１を挟んで仮設資材取付具１０を固定している。ここで、仮設資材取付具１０を折板屋根３０の凸部３１に取り付ける場合は、第１および第２ベース１１,１２の両端部の下端に設けられた固定金具２３ａ〜２３ｄの長手方向中央部の溝（図１の２３２）を折板屋根３０の凸部３１に嵌めこみ、固定金具２３ａ〜２３ｄのハの字状に開いた部分に屋根の凸部３１を挿入し締めることによって、固定する。
【００２７】
図３は、そのようにして固定した状態を示す。なお、ここで、第１ベース１１および第２ベース１２を含む上部は図示を省略する。
【００２８】
図４は、仮設資材取付具１０の隣接する第１および第２ベース間の距離が図３の場合より狭い、折板屋根３０の凸部３２に取付ける場合を示す図である。
【００２９】
図４（Ａ）は平面図であり、図４（Ｂ）は図４（Ａ）において、矢印ＩＶＢ-ＩＶＢで示す矢視の断面図である。ここでも、第１ベース１１および第２ベース１２を含む上部は図示を省略する。
【００３０】
図４（Ａ）および（Ｂ）を参照して、この例においては、隣接した２つの折板屋根３０の凸部３２に仮設資材取付具１０を固定している。ここで、仮設資材取付具１０を折板屋根３０の凸部３２に取り付ける方法は、先の場合と同様である。図４は、そのようにして固定した状態を示す。
【００３１】
図５は、仮設資材取付具１０の隣接する第１および第２ベース間の距離が図４の場合より狭い場合の、折板屋根３０の凸部３３に取付けた状態を示す図である。
【００３２】
図５（Ａ）は平面図であり、図５（Ｂ）は図５（Ａ）において、矢印ＶＢ-ＶＢで示す矢視の断面図である。ここでも、第１ベース１１および第２ベース１２を含む上部は図示を省略する。
【００３３】
図５（Ａ）および（Ｂ）を参照して、この例においては、最大幅ピッチの場合の隣接した２つの折板屋根３０の凸部３３に仮設資材取付具１０を固定している。ここで、仮設資材取付具１０を折板屋根３０の凸部３３に取り付ける方法は、先の場合と同様である。図５は、そのようにして固定した状態を示す。
【００３４】
次に、仮設資材取付具１０に仮設資材として親綱支柱１８を取り付けた親綱支柱付取付具１３について説明する。図６（Ａ）は親綱支柱付取付具１３の正面図であり、図６（Ｂ）は図６（Ａ）において、矢印ＶＩＢ-ＶＩＢで示す平面図であり、図６（Ｃ）は図６（Ａ）において、矢印ＶＩＣ-ＶＩＣで示す側面図である。図６（Ａ）〜（Ｃ）を参照して、親綱支柱付取付具１３は、仮設資材取付具１０と、その支柱保持部１５の凹部１５ａに挿入された親綱支柱１８とを含む。
【００３５】
親綱支柱１８は円筒状であり、その上端に略円形の開口部を有するロープ挿通部１９を有する。図１で説明したように、第１および第２ベース１１,１２に設けたボルトの円板ベース１４の溝２１ａ〜２１ｄにおける位置を変えることによって、第１および第２ベース１１，１２の両端の間隔を調整できる。
【００３６】
その結果、折板屋根３０の凸部３１のピッチが任意の場合に適用できる。なお、仮設資材保持部１５の使用方法は、特許文献１と基本的に同様であるが、新たな使用方法について説明する。図７は、新たな使用方法を説明するための図である。図７を参照して、ここでは、親綱支柱１８の先端のロープ挿通部１９にロープを通し、そこに、ロープに沿って（図中、矢印で示す）移動する移動部材３４を設けている。移動部材３４はランヤードフック掛着孔３５を有し、これに安全帯Ｄ環に取り付けられたランヤードフック３６を掛ける。
【００３７】
図８は、図７で示した親綱支柱付取付具１３の具体的な使用状態を示す図である。図８を参照して、ここでは、折板屋根の図示は省略している。図７と同様に、複数の親綱支柱付取付具１３を折板屋根の上に設置し、その先端のロープ挿通部１９にロープを通し、そこに、ロープに沿って移動する移動部材３４を設けているのは、図７と同様である。図８では、このロープに複数の作業員が、移動部材３４、ランヤードフック掛着孔３５、および、ランヤードフック３６を介して接続されている。この構成によって、屋根上で作業する作業者は、屋根上を移動しながら、安全な作業が可能になる。
【００３８】
図８においては、一方向にロープが連続するように親綱支柱付取付具１３を設けたが、これに限らず、縦横方向にロープが連続するように設けてもよい。
【００３９】
なお、上記実施の形態においては、仮設資材保持部１５は円板ベースである場合について説明したが、これに限らず、回転させるための円弧状の溝があれば、円板以外の構成であってもよい。
【００４０】
また、仮設資材取付部１５の断面が円筒形である場合について説明したが、これに限らず、矩形や多角形や任意の断面を有してもよい。
【００４１】
また、上記実施の形態では、第２ベース１２の両端部の下面を第１ベース１１と同一平面に合わせるために第１ベース１１と同一厚さで長さの短い補助金具（端部部材）を設ける場合について説明したが、これに限らず、第１ベースと第２ベースとを同じ厚さとしてもよい。
【００４２】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００４３】
この発明によると、コンパクトに収納でき、かつ、折板構造屋根の様々な山ピッチに対応できる、折板構造屋根の仮設資材取付具を提供できるため、仮設資材取付具として有利に利用される。
【符号の説明】
【００４４】
１０  仮設資材取付具、１１  第１ベース、１２  第２ベース、１３  親綱支柱付取付具、１４  円板ベース、１５  仮設資材保持部、１５ａ  凹部、１６  リブ、１８  親綱支柱、１９  ロープ挿通部、２０ａ〜２０ｄ  ボルト、２１ａ〜２１ｄ  溝、２３ａ〜２３ｄ  固定金具、２４ｂ，２４ｄ  補助金具、３０  折板屋根、３１  凸部、３４  移動部材、３５  ランヤードフック掛着孔、３６  ランヤードフック。
【図１】
2020002745.tif 000003
【図２】
2020002745.tif 000004
【図３】
2020002745.tif 000005
【図４】
2020002745.tif 000006
【図５】
2020002745.tif 000007
【図６】
2020002745.tif 000008
【図７】
2020002745.tif 000009
【図８】
2020002745.tif 000010
【図９】
2020002745.tif 000011